(57)【要約】      （修正有）【課題】ベルト本体が優れた通気性を有するとともに、ベルト本体の耐久性を改善したベルトを提供する。【解決手段】ベルトは、ベルト本体１とベルト留具２とを有し、ベルト本体はメッシュシート３を含んで構成され、メッシュシートは第一メッシュシートと第二メッシュシートとからなる二層メッシュ構造であり、第一メッシュシートはベルト本体の外側面に位置し、第二メッシュシートはベルト本体の内側面に位置する。【選択図】図１
0003224340.tif 000002
【実用新案登録請求の範囲】
【請求項１】
ベルト本体とベルト留具とを有し、
前記ベルト本体がメッシュシートを含んで構成され、
前記メッシュシートが第一メッシュシートと第二メッシュシートとからなる二層メッシュ構造であり、
前記第一メッシュシートが前記ベルト本体の外側面に位置し、前記第二メッシュシートが前記ベルト本体の内側面に位置することを特徴とするベルト。
【請求項２】
前記第一メッシュシートが印刷適性を備えた素材で形成され、前記第二メッシュシートが所定の強度を備え、前記第一メッシュシートにグラフィックデザインが印刷されている、請求項１に記載のベルト。
【考案の詳細な説明】
【技術分野】
【０００１】
本考案は、ベルトに関し、特に、ズボンやスカートといった衣服を着用する際、衣服を使用者のウェストに固定する衣服用のベルトに関する。
【背景技術】
【０００２】
衣服用のベルトは、通常、ベルト本体とベルト留具とを有し、使用者はベルト本体をウェストに巻き付けた上、ベルト留具により係止する。ベルト本体は帯状の皮革素材から形成されることが多く、皮革素材としては天然皮革や人工皮革などが用いられており、皮革素材は一枚ものや二枚の皮革を重ね合わせて一体化させたものが知られている。
しかし、皮革素材から形成されたベルト本体は汗を逃がすことが困難であるため、使用者が発汗すると、ベルト内側の汗が放出されず、汗によるべとつきにより使用者が不快感を抱く不都合がある。
【０００３】
こうした不快感を解消するため、ベルト本体の通気性を改善したベルトが種々提案されている。
例えば、ベルト本体に汗除去構造が設けられたベルトが提案されている（特許文献１）。このベルトは、ベルト本体の汗除去構造が通気可能な表装材と、前記表装材の内面に配置される吸湿機能及び放湿機能を備えた裏材とで構成されるところ、ベルト内側に付着した汗を前記裏材で吸着した後、ベルト外側の大気中に速やかに蒸散させることができるため、べとつきを解消して不快感を一掃できるとされる。
【先行技術文献】
【特許文献】
【０００４】
【特許文献１】特開２００５−２１３６６０号公報
【考案の概要】
【考案が解決しようとする課題】
【０００５】
しかし、上記の先行技術は前記表装材が皮革素材や織生地から形成されるものであり、皮革素材や織生地自体は通気性に優れているとは必ずしもいえず、前記表装材は通気孔の一群を設けることにより通気可能としたものにすぎない。そのため、前記表装材において通気孔を設けない部分には通気性が十分確保されているとはいえず、通気性について更なる改善が望まれている。
他方、ベルトは湾曲して使用されるものであり、ベルト本体には耐久性が必要である。
ベルト本体が耐久性を欠くと、ベルトを繰り返し使用するうち、ベルト本体が破れたりひび割れたりするが、ベルト本体の通気性を改善しようとすると、ベルト本体の耐久性が犠牲となる問題があった。
【０００６】
本考案の目的は、ベルト本体が優れた通気性を有するとともに、ベルト本体の耐久性にも配慮し、ベルト本体の耐久性を改善したベルトを提供することにある。
【課題を解決するための手段】
【０００７】
上記課題を解決するため、本考案者らが鋭意検討した結果、ベルト本体にメッシュシートが含まれ、前記メッシュシートが二層メッシュ構造であるベルトが本考案の目的に適うことを見出し、本考案を完成させるに至った。
【０００８】
すなわち、本考案は、
［１］ベルト本体とベルト留具とを有し、
前記ベルト本体がメッシュシートを含んで構成され、
前記メッシュシートが第一メッシュシートと第二メッシュシートとからなる二層メッシュ構造であり、
前記第一メッシュシートが前記ベルト本体の外側面に位置し、前記第二メッシュシートが前記ベルト本体の内側面に位置することを特徴とするベルトを提供するものである。
【０００９】
また、本考案のひとつは、
［２］前記第一メッシュシートが印刷適性を備えた素材で形成され、前記第二メッシュシートが所定の強度を備え、前記第一メッシュシートにグラフィックデザインが印刷されている、上記［１］に記載のベルトを提供するものである
【考案の効果】
【００１０】
本考案によれば、ベルト本体に含まれるメッシュシートにより、優れた通気性を実現できる。また、前記メッシュシートは二層メッシュ構造であるところ、耐久性が増すため、前記ベルト本体の耐久性が改善される。
さらに、使用者は前記メッシュシートを視認できるため、視覚を通じ通気性を感じることができ、清涼感を得ることができる。
【００１１】
また、前記ベルト本体の外側面に位置する第一メッシュシートが印刷適性を備えていれば、汎用のプリンタを用いて前記第一メッシュシートにロゴやイラストなどのグラフィックデザインを印刷できるため、デザイン性に富んだベルトを提供することができる。
【図面の簡単な説明】
【００１２】
【図１】図１は、実施例１に係るベルト１００を説明するための模式正面図である。
【図２】図２は、図１のＡ‐Ａ線に沿う模式部分断面図である。
【図３】図３は、実施例２に係るベルト１１０を説明するための模式正面図である。
【考案を実施するための形態】
【００１３】
以下、図面を参照しつつ、実施例に基づいて本考案を詳細に説明する。なお、本考案は以下の実施例により何ら限定されるものではない。
【実施例１】
【００１４】
図１は、実施例１に係るベルト１００を説明するための模式正面図である。
実施例１に係るベルト１００は、ベルト本体１とベルト留具２とを有し、前記ベルト留具２は前記ベルト本体１の端部に装着されている。
前記ベルト本体１はメッシュシート３を含んで構成されており、前記メッシュシート３により前記ベルト本体１に通気性が付与される。使用者が発汗しても、前記メッシュシート３を通してベルト内側の汗が放出されるため、汗によるべとつきにより使用者が不快感を抱くことなく、快適に過ごすことができる。
【００１５】
前記ベルト本体１は前記メッシュシート３を含んで構成されるものであり、前記ベルト本体１において、前記メッシュシート３を除く部分には、縁部４と係止部５が設けられている。前記縁部４と前記係止部５は、縫合糸６により縫着されている。
前記縁部４と前記係止部５は、通常、天然皮革、人工皮革等の皮革素材により形成されるが、これに限定されるものではなく、例えば、ナイロン、ポリエチレン等の合成樹脂素材、シリコーンゴム、ウレタンゴム等の合成ゴム素材であってもよい。
【００１６】
前記ベルト留具２は、バックル７を有する留具であって、前記バックル７の枠に起倒自在に取り付けられたバックルピン８を有し、前記バックル７は二重に折り曲げ縫合された連結部９の一方の端部に起倒自在に取り付けられている。前記連結部９の他方の端部には連結金具１０が設けられており、前記ベルト本体１の端部は、前記連結金具１０により、挟持されている。
また、前記連結金具１０には、ベルト通し環１１が取り付けられている。
【００１７】
前記係止部５には、一定間隔おきに複数のピン孔１２が穿設されている。前記ピン孔１２には、前記バックルピン８が挿通され、前記ベルト本体１は前記バックル７と前記バックルピン８により係止される。また、前記係止部５はベルト通し環１１に挿通される。
前記ベルト本体１の長さが使用者のウェストのサイズに合わない場合、前記ベルト本体１を適切な長さに切断した上で使用する。
【００１８】
図２は、図１のＡ‐Ａ線に沿う模式部分断面図である。
前記ベルト本体１は前記メッシュシート３を含んで構成されており、前記メッシュシート３は第一メッシュシート３ａと第二メッシュシート３ｂとからなる二層メッシュ構造である。
【００１９】
前記第一メッシュシート３ａは前記ベルト本体１の外側面に位置し、使用者が実施例１に係るベルト１００を着用した際、前記第一メッシュシート３ａを外部から観察することができる。
他方、前記第二メッシュシート３ｂは前記ベルト本体１の内側面に位置し、使用者が実施例１に係るベルト１００を着用した際、前記第二メッシュシート３ｂは使用者のウェストと対向する。
【００２０】
前記第一メッシュシート３ａの素材については、特に限定はないが、例えば、ポリエチレンテレフタレート、ポリブチレンテレフタレート等のポリエステル類、ポリエチレン、ポリプロピレン等のポリオレフィン類、６‐ナイロン、６，６‐ナイロン等のポリアミド系樹脂等を挙げることができる。
前記第二メッシュシート３ｂの素材についても、特に限定はないが、前記第一メッシュシート３ａの素材がポリエステル類である場合には、耐久性の観点から、前記第二メッシュシート３ｂの素材はポリアミド系樹脂であることが好ましい。
【００２１】
前記第一メッシュシート３ａと前記第二メッシュシート３ｂの目開き、線径及び開孔率については、通気性が付与されるものであれば、特に限定はない。
このとおり、実施例１に係るベルト１００は、前記メッシュシート３を通して、ベルト内側の汗を放出できる他、前記メッシュシート３が前記第一メッシュシート３ａと前記第二メッシュシート３ｂとからなる二層メッシュ構造であるため、前記ベルト本体１の耐久性が改善される。
【実施例２】
【００２２】
図３は、実施例２に係るベルト１１０を説明するための模式正面図である。
実施例２に係るベルト１１０は、メッシュシート１３が第一メッシュシート１３ａと第二メッシュシート１３ｂとからなる二層メッシュ構造であり（図示せず）、前記第一メッシュシート１３ａが印刷適性を備えた素材で形成され、前記第二メッシュシート１３ｂが所定の強度を備え、前記第一メッシュシート１３ａにグラフィックデザイン１４が印刷されている。それ以外は、実施例１の場合と同様である。
【００２３】
前記第一メッシュシート１３ａの素材については、印刷適性を備えた素材であれば、特に限定はなく、例えば、ポリエステル、ポリエチレン、ポリプロピレン等が挙げられるが、安全性、コスト、取扱性等の点からポリエステルが好適に用いられる。
前記第一メッシュシート１３ａの表面には、前記グラフィックデザイン１４が印刷されるところ、印刷には汎用のプリンタを用いることができる。
前記グラフィックデザイン１４としては、例えば、ロゴ、イラスト、スローガン、エンブレム等を挙げることができる。
【００２４】
前記第一メッシュシート１３ａが印刷適性を備えた素材で形成されると、前記第一メッシュシート１３ａの機械的強度が小さくなることがあるため、耐久性の観点から、前記第二メッシュシート１３ｂは所定の強度を備えることが望ましい。
前記第二メッシュシート１３ｂが所定の強度を備えるには、前記第二メッシュシート１３ｂが６‐ナイロンや６，６‐ナイロンといった機械的強度に優れた素材で形成されていればよい。
【００２５】
このとおり、実施例２に係るベルト１１０は、前記第一メッシュシート１３ａにグラフィックデザインを印刷できるため、デザイン性に富んでおり、視覚的な清涼感とあわせ、ファッションアイテムとして幅広い支持を期待できる。
【産業上の利用可能性】
【００２６】
本考案のベルトは、通気性に優れ耐久性が改善されるため、衣服用のベルトの他、腕時計用のベルトや患者の識別用のリストバンド等に本考案のベルトを広く応用することができる。
【符号の説明】
【００２７】
１  ベルト本体
２  ベルト留具
３、１３  メッシュシート
３ａ、１３ａ  第一メッシュシート
３ｂ、１３ｂ  第二メッシュシート
４  縁部
５  係止部
６  縫合糸
７  バックル
８  バックルピン
９  連結部
１０  連結金具
１１  ベルト通し環
１２  ピン孔
１４  グラフィックデザイン
１００  実施例１に係るベルト
１１０  実施例２に係るベルト
【図１】
0003224340.tif 000003
【図２】
0003224340.tif 000004
【図３】
0003224340.tif 000005